(57)【要約】【課題】居室親機同士がネットワークを結び、近隣住戸のインターホン録画装置を利用し、侵入者の映像を多方面から録画して犯罪の防止や解決を図る。【解決手段】玄関子機１ａと、玄関子機の呼出しにより来訪者と応答するための居室親機２ａが接続されており、居室親機で防犯設定／解除を行うインターホンシステムにおいて、玄関子機には玄関カメラ１１を備え、居室親機には、侵入者を検知する防犯センサ２１、近隣の住戸が侵入されたときの発報状況を送受信するための送受信回路２２、玄関カメラからの映像を録画するための記憶部２６、ＣＰＵ２３を備え、近隣の住戸が侵入されたときに玄関前の映像の録画を行う。【選択図】  図１
2008085850.tif 000002
【特許請求の範囲】
【請求項１】
複数の住戸の住戸玄関に設置される玄関カメラ（１１）を備えた玄関子機（１ａ、１ｂ、１ｃ、・・・）と、前記住戸の扉、窓に設置される防犯センサ（２１）と、前記住戸内に設置され、前記玄関子機の玄関カメラにて撮像された映像を出画するための表示部（２４）を有し、前記玄関子機からの呼び出しに応答して通話を成立し、前記防犯センサからの出力信号を検出して警報を発報するための居室親機（２ａ、２ｂ、２ｃ、・・・）とを設け、
前記居室親機は、前記玄関子機の玄関カメラにて撮像された映像を録画するための記憶部（２６）と、前記表示部及び前記記憶部をそれぞれ制御するためのＣＰＵ（２３）と、前記防犯センサからの出力信号を移報信号として近隣住戸の居室親機に無線及び有線の少なくとも一つを用いる通信で伝送するための送受信回路（２２）とを備え、
前記居室親機のＣＰＵは、他の居室親機からの移報信号を受信したとき、自住戸の玄関子機の玄関カメラにて撮像される映像を前記記憶部に録画することを特徴とするインターホンシステム。
【請求項２】
集合住宅の集合玄関に設置される玄関カメラ（１１）を備えた集合玄関機（５０）と、前記集合住宅の駐車場等の共用部に設置される共用部カメラ（５１）と、前記集合住宅の複数の住戸の扉、窓に設置される防犯センサ（２１）と、前記集合住宅の複数の住戸内に設置され前記集合玄関機の玄関カメラ及び／又は前記共用部カメラにて撮像された映像を出画するための表示部（２４）を有し、前記集合玄関機からの呼び出しに応答して通話を成立し、前記防犯センサからの出力信号を検出して警報を発報するための集合住宅居室親機（５２）と、前記集合玄関機、前記集合住宅居室親機を制御する制御機（５３）とを設け、
前記集合住宅居室親機は、前記防犯センサからの出力信号を移報信号として前記制御機に無線及び有線の少なくとも一つを用いる通信で伝送するための送受信回路（２２）を備え、
前記制御機は、前記移報信号を送受信する送受信回路（５３１）と、前記移報信号に基づいて前記集合玄関機の玄関カメラ（１１）及び／又は前記共用部カメラ（５１）を制御し、撮像された映像を録画する記憶部（５３３）を制御するＣＰＵ（５３２）とを備えることを特徴とするインターホンシステム。
【請求項３】
前記ＣＰＵは、発生した警報の発報状況を前記表示部に表示することを特徴とする請求項１又は請求項２記載のインターホンシステム。
【発明の詳細な説明】
【技術分野】
【０００１】
本発明はインターホンシステムに係り、特に住戸に侵入されたときに侵入者の映像を録画し、近隣住戸に侵入情報を報知することにより犯罪抑止または犯罪解決を行うことができるインターホンシステムに関する。
【背景技術】
【０００２】
従来のインターホンシステムにおいては、住戸単位で玄関前の映像を録画し、各住戸単位でセキュリティを上げることで侵入等に対する防犯対策を行っていた（例えば、特許文献１参照）。
【０００３】
特許文献１においては、段落「００４９」、「００５０」に記載されているように、住戸内に在室中の居住者にとって好ましくない予め知り得ていた押し売り、不審人物、危険人物等の映像を録画メモリに録画したり、またリアルタイムの監視映像として表示部に表示したりするようになっている。
【０００４】
【特許文献１】特開２００６−３３５５８号公報
【発明の開示】
【発明が解決しようとする課題】
【０００５】
しかしながら、特許文献１に記載されているような従来の技術では、録画される映像は住戸の玄関前の映像だけであり、もし不正侵入があった場合でも近隣の住戸には不正侵入の情報が伝わらず、犯罪解決に至るまでの状況は映像として録画できないという問題があった。
【０００６】
本発明は、上記問題点を解消するためになされたもので、居室親機同士がネットワークを結び、近隣のインターホンシステム内の録画装置を利用し、侵入者の映像を近隣の住戸により多方面から録画できるインターホンシステムを提供することを目的としている。
【課題を解決するための手段】
【０００７】
この目的を達成するために本発明によるインターホンシステムの第１の形態は、複数の住戸の住戸玄関に設置される玄関カメラを備えた玄関子機と、住戸の扉、窓に設置される防犯センサと、住戸内に設置され、玄関子機の玄関カメラにて撮像された映像を出画するための表示部を有し、玄関子機からの呼び出しに応答して通話を成立し、防犯センサからの出力信号を検出して警報を発報するための居室親機とを設け、居室親機は、玄関子機の玄関カメラにて撮像された映像を録画するための記憶部と、表示部及び記憶部をそれぞれ制御するためのＣＰＵと、防犯センサからの出力信号を移報信号として近隣住戸の居室親機に無線及び有線の少なくとも一つを用いる通信で伝送するための送受信回路とを備え、居室親機のＣＰＵは、他の居室親機からの移報信号を受信したとき、自住戸の玄関子機の玄関カメラにて撮像される映像を記憶部に録画することを特徴とする。
【０００８】
また本発明によるインターホンシステムの第２の形態は、集合住宅の集合玄関に設置される玄関カメラを備えた集合玄関機と、集合住宅の駐車場等の共用部に設置される共用部カメラと、集合住宅の複数の住戸の扉、窓に設置される防犯センサと、集合住宅の複数の住戸内に設置され集合玄関機の玄関カメラ及び／又は共用部カメラにて撮像された映像を出画するための表示部を有し、集合玄関機からの呼び出しに応答して通話を成立し、防犯センサからの出力信号を検出して警報を発報するための集合住宅居室親機と、集合玄関機、集合住宅居室親機を制御する制御機とを設け、集合住宅居室親機は、防犯センサからの出力信号を移報信号として制御機に無線及び有線の少なくとも一つを用いる通信で伝送するための送受信回路を備え、制御機は、移報信号を送受信する送受信回路と、移報信号に基づいて集合玄関機の玄関カメラ及び／又は共用部カメラを制御し、撮像された映像を録画する記憶部を制御するＣＰＵとを備えることを特徴とする。
【０００９】
さらに本発明によるインターホンシステムの第３の形態は、第１又は第２の形態において、ＣＰＵは、発生した警報の発報状況を表示部に表示することを特徴とする。
【発明の効果】
【００１０】
本発明のインターホンシステムの第１の形態では、近隣住戸間でネットワークを形成し、ある住戸に不正侵入やその虞があった場合に近隣住戸に警報信号を移報して各住戸の玄関カメラにより侵入者の映像を撮像し、その画像を録画することにより犯罪の防止や解決を図ることができる。
【００１１】
本発明のインターホンシステムの第２の形態では、集合住宅内の各住戸間でネットワークを形成し、集合住宅内のある住戸に不正侵入やその虞があった場合に制御機に警報信号を移報し、集合玄関機の玄関カメラや駐車場等の共用部カメラにより侵入者の映像を撮像し、その画像を録画して集合住宅内の各住戸に表示することにより犯罪の防止や解決を図ることができる。
【００１２】
本発明のインターホンシステムの第３の形態では、侵入警報が発報された場合に、この警報の発報状況を表示部に表示させるようにするので、不正侵入の状況がリアルタイムで把握することができ、近隣の住戸の居住者に対しても速やかに注意を喚起することが可能となる。
【発明を実施するための最良の形態】
【００１３】
以下、本発明によるインターホンシステムの好ましい実施の形態を図面を用いて説明する。なお、各図面において同一の箇所は同一の符号で表すこととする。
【００１４】
まず、本発明の戸建て住宅向けのインターホンシステムは、図１の機器構成図に示すように、玄関カメラ１１が備えられた住人を呼出し、通話を行なうための玄関子機１ａと、玄関子機１ａの呼出しにより来訪者と応答するとともに防犯センサ２１が接続され、この防犯センサ２１からの入力に基づき警報を発報する居室親機２ａとを備えている。
【００１５】
居室親機２ａは、近隣の住戸の居室親機２ｂ、２ｃ等と通信するための無線ＬＡＮ（Local Area Network）あるいは無線ＰＡＮ（Personal Area Network）などの無線装置及びＩＳＤＮ（Integrated Services Digital Network）あるいはＦＴＴＨ（Fiber To The Home）などの有線装置からなる送受信回路２２と、呼出・通話及び防犯の制御をおこなうＣＰＵ２３と、防犯情報や録画された画像を再生表示するための表示部２４と、録画された画像を記憶する記憶部２６及び外部記憶媒体２７を接続するための外部接続インターフェース（ＩＦ）２５とを備えている。
【００１６】
なお、図１において玄関子機１ａ及び居室親機２ａの組み合わせ以外の他の玄関子機１ｂと居室親機２ｂ、玄関子機１ｃと居室親機２ｃの組み合わせにおいても、各居室親機にはそれぞれ無線装置及び有線装置からなる送受信回路２２が備えられており、また防犯センサ２１、ＣＰＵ２３、表示部２４、記憶部２６、外部接続ＩＦ２５がそれぞれ備えられている。
【００１７】
ここで、一例として玄関子機１ａと居室親機２ａの組み合わせにおける居室親機２ａの各構成部分と接続関係についてのブロック図を図２に示す。
【００１８】
なお、図２においては居室親機２ａに備えられている各構成部分について説明しているが、他の居室親機２ｂ、２ｃにおいても同様の構成部分が備えられている。
【００１９】
居室親機２ａは図２に示すように、居室親機内の各種動作を制御するＣＰＵ２３、玄関カメラからの映像や警報の発報状況を表示する表示部２４、外部記憶媒体２７と接続するための外部接続ＩＦ２５、玄関カメラ１１からの映像を録画する記憶部２６、他の居室親機２ｂ、２ｃ等との間で通信を行うための無線装置２２ａ及び有線装置２２ｂなどからなる送受信回路２２、居室親機２ａと玄関子機１ａとの間の呼出・通話を成立させるための子機ＩＦ２０１、防犯センサ２１からの侵入信号を居室親機２ａへ伝達するためのセンサＩＦ２０２、スピーカやマイクなどからなる呼出・通話部２０３、解錠やモニタ等の操作を行う操作部２０４から構成されている。
【００２０】
図２の居室親機２ａにおいて、ＣＰＵ２３は子機ＩＦ２０１、センサＩＦ２０２、記憶部２６、呼出・通話部２０３、表示部２４、操作部２０４、送受信回路２２、外部接続ＩＦ２５とそれぞれ接続されており、子機ＩＦ２０１は呼出・通話部２０３及び表示部２４と接続されている。そして、子機ＩＦ２０１は玄関子機１ａと、センサＩＦ２０２は防犯センサ２１と、外部接続ＩＦ２５は外部記憶媒体２７と、無線装置２２ａ及び有線装置２２ｂ等の送受信回路２２は例えば他の居室親機とそれぞれ接続されラインを形成している。
【００２１】
なお、居室親機の送受信回路２２においては無線装置及び有線装置の少なくとも一つを備え、何れかで警報信号を送受信するか、あるいは双方を備えた際には状況に応じて無線装置又は有線装置を使い分けるようにするとよい。
【００２２】
このような本実施の形態のインターホンシステムの動作について説明する。
【００２３】
なお、呼出、通話、解錠等については従来のインターホンシステムと同様のため説明を省略し、ここでは不正侵入あるいはその虞が生じた場合の動作を説明する。
【００２４】
まず玄関子機１ａ、居室親機２ａを有する住戸の住人が外出時に居室親機２ａで防犯設定／解除システムにより防犯設定を行い警戒設定状態とする。この警戒設定状態において住戸外の人間が不正に侵入しようとすると、防犯センサ２１により侵入信号が通知される。
【００２５】
侵入信号が通知されるとセンサＩＦ２０２を介してＣＰＵ２３は住戸内で侵入警報を発報すると同時に送受信回路２２により例えば近隣の住戸の居室親機２ｂの送受信回路２２へ侵入警報を報知する。報知を受けた近隣の住戸の居室親機２ｂは他の近隣の住戸の居室親機２ｃに侵入警報を報知すると同時に玄関子機１ｂの玄関カメラ１１を駆動し玄関前の静止画又は動画を録画して居室親機２ｂの記憶部２６に記憶する。
【００２６】
このようにして、次々と近隣の住戸に設置されている居室親機の全てに対し侵入警報を報知していくことにより侵入された住戸の近隣全体の玄関子機の玄関カメラにより映像を録画する。
【００２７】
この結果、不正侵入に対して近隣住戸の玄関カメラにより映像を広域的に録画することになり、不正侵入前に侵入者を特定できるので犯罪に至る可能性を未然に防止することができ、また万一不正侵入が生じた場合にも侵入者が逃亡するなどの行動を逐一録画できるので速やかに犯罪を解決することが可能となる。
【００２８】
なお、ＣＰＵ２３から侵入警報が発報された場合に、この警報を発報した居室名、時刻等の発報状況を表示部２４に表示させるようにしてもよい。このようにすると、不正侵入の状況がリアルタイムで把握することができるので近隣の住戸の居住者に対しても速やかに注意を喚起することができる。
【００２９】
また、本実施の形態では記憶部２６は居室親機２ａの内部に設けられているが、居室親機２ａの外部接続ＩＦ２５を介して着脱自在に接続可能な外部記憶媒体２７を接続してもよい。このようにすると、長時間の録画が必要な時や累積の記憶画像により記憶容量が増大して居室親機内部の記憶部だけでは記憶容量に不足が生じる場合などでも録画内容の欠損が生じる懸念がない。さらに、画像を録画した後で外部記憶媒体を取り外し、別な場所で録画済みの画像を確認することも可能となる。
【００３０】
次に本発明の他の実施の形態である集合住宅向けのインターホンシステムについて説明する。
【００３１】
本発明の集合住宅向けのインターホンシステムは、図３の機器構成図に示すように、例えば集合住宅のエントランス等に設置され、来訪者が居住者を呼び出して通話をおこなうための玄関カメラ１１が設置された集合玄関機５０と、駐車場等の共用部に設置され、集合住宅居室親機において監視可能な動画像を撮像する共用部カメラ５１と、集合住宅居室親機５２とが制御機５３に接続されている。また集合住宅居室親機５２には複数の住戸の扉や窓に設置される防犯センサ２１、居室玄関カメラ５４１を備えた居室玄関機５４が接続されている。
【００３２】
なお、図３において各集合住宅居室親機にはそれぞれ無線装置２２ａ及び有線装置２２ｂからなる送受信回路２２、表示部２４が備えられており、また防犯センサ２１、居室玄関カメラ５４１を備えた居室玄関機５４もそれぞれ接続されている。
【００３３】
また、制御機５３には、例えば一つの集合住宅居室親機５２の防犯センサ２１からの警報信号を他の集合住宅居室親機へ送受信する送受信回路５３１、玄関カメラ１１や共用部カメラ５１あるいは記憶部を制御するＣＰＵ５３２、撮像された映像を録画する記憶部５３３、外部記憶媒体２７と着脱可能に接続するための外部接続ＩＦ２５が備えられている。
【００３４】
なお、集合住宅居室親機の送受信回路２２においても無線装置及び有線装置の少なくとも一つを備え、何れかで警報信号を送受信するか、あるいは双方を備えた際には状況に応じて無線装置又は有線装置を使い分けるようにするとよい。
【００３５】
この集合住宅インターホンシステムの動作は、集合住宅の住戸内への不正侵入が発生した場合に、例えば一つの集合住宅居室親機５２の防犯センサ２１により警報信号が通知され、この警報信号が送受信回路２２から制御機５３の送受信回路５３１に移報される。制御装置５３は警報信号を受信すると集合玄関機５０の玄関カメラ１１及び共用部カメラ５１を駆動し、これらの映像をＣＰＵ５３２の制御により記憶部５３３に録画する。そして、記憶した画像を集合住宅内の各住戸に送信することによって、集合住宅においても戸建て住宅と同様に侵入者の情報を各住戸に移報して他の住戸に対する犯罪を未然に防止することができるとともに万一不正侵入が生じた場合にも侵入者の逃亡などの行動を逐一録画できるので犯罪を速やかに解決することができる。
【００３６】
なお、本実施の形態の集合住宅向けのインターホンシステムにおいても侵入警報が発報された場合に、この警報の発報状況を各住戸の表示部２４に表示させるようにしてもよい。このようにすると、不正侵入の状況をリアルタイムで把握でき、他の住戸の居住者に対しても速やかに注意を喚起することができる。
【００３７】
ところで、上記動作では集合玄関機５０の玄関カメラ１１や共用部カメラ５１により画像を録画するようにしたが、集合住宅の住戸内への不正侵入やその虞が発生した場合に、例えば一つの集合住宅居室親機５２の防犯センサ２１により警報信号が通知され、この警報信号が集合住宅居室親機５２の送受信回路２２を介して隣の居室に移報信号として伝送され、この移報信号により隣の居室の集合住宅居室親機５２に備えられている居室玄関機５４の居室玄関カメラ５４１が能動となり、画像を撮像し、制御機５３の記憶部５３３に録画するようにしてもよい。このようにすると次々と各居室に移報信号が伝送されることになり、各居室において未然に犯罪を防止できるとともに、万一不正侵入が生じた場合でも速やかに犯罪の解決を図ることができる。
【００３８】
また、本実施の形態では記憶部５３３が制御機５３の内部に設けられているが、制御機５３の外部接続ＩＦ２５を介して着脱自在に接続可能な外部記憶媒体２７を接続してもよい。このようにすると、戸建て住宅の場合と同様に長時間の録画が必要な時や累積の記憶画像により記憶容量が増大して居室親機内部の記憶部だけでは記憶容量に不足が生じる場合などでも録画内容の欠損が生じる懸念がない。さらに、画像を録画した後で外部記憶媒体を取り外し、別な場所で録画済みの画像を確認することも可能となる。
【００３９】
以上述べてきたように本発明によれば、従来個別の住戸のみでしか対応できなかった不正侵入等に対して戸建て住宅や集合住宅を問わず広域的に情報を共有することにより犯罪を速やかに防止・解決することが可能となる。
【図面の簡単な説明】
【００４０】
【図１】本発明のインターホンシステムの一実施の形態の機器構成を示す図である。
【図２】本発明のインターホンシステムの居室親機に備えられている構成部分を示すブロック図である。
【図３】本発明のインターホンシステムの他の実施の形態の機器構成を示す図である。
【符号の説明】
【００４１】
１ａ、１ｂ、１ｃ・・・・・玄関子機
２ａ、２ｂ、２ｃ・・・・・居室親機
１１・・・・・・・・・・・・玄関カメラ
２１・・・・・・・・・・・・防犯センサ
２２・・・・・・・・・・・・送受信回路
２２ａ・・・・・・・・・・・無線装置
２２ｂ・・・・・・・・・・・有線装置
２３・・・・・・・・・・・・ＣＰＵ
２４・・・・・・・・・・・・表示部
２５・・・・・・・・・・・・外部接続ＩＦ
２６・・・・・・・・・・・・記憶部
２７・・・・・・・・・・・・外部記憶媒体
５０・・・・・・・・・・・・集合玄関機
５１・・・・・・・・・・・・共用部カメラ
５２・・・・・・・・・・・・集合住宅居室親機
５３・・・・・・・・・・・・制御機
５３１・・・・・・・・・・・・送受信回路
５３２・・・・・・・・・・・・ＣＰＵ
５３３・・・・・・・・・・・・記憶部
【図１】
2008085850.tif 000003
【図２】
2008085850.tif 000004
【図３】
2008085850.tif 000005